(57)【要約】【課題】パイプ内に浸入した水の凍結による問題を解決したビニールハウスフィルム巻き上げパイプを提供する。【解決手段】農園芸用のビニールハウスの側面に設けられ、ビニールハウスのフィルム端部を巻回し、フィルムを巻き上げるためのパイプであって、複数本のパイプ本体が接続されてなり、パイプ本体は断面円形の金属パイプの一端が変形されて嵌合部となされ、他端が縮径されると共に嵌合部内径に回動不能に接続されるようになされて挿入部となされ、嵌合部又は挿入部の内面に発泡体が挿入されたもので、パイプ本体内に浸入した水が凍結、膨張しても発泡体が膨張を吸収するので、パイプ本体の接続された部分が押し広げられることが無く接続部の緩みや外れが防止される。【選択図】        図３
2005000021.tif 000002
【特許請求の範囲】
【請求項１】
農園芸用のビニールハウスの側面に設けられ、ビニールハウスのフィルム端部を巻回し、フィルムを巻き上げるためのパイプであって、複数本のパイプ本体が接続されてなり、パイプ本体は断面円形の金属パイプの一端が変形されて嵌合部となされ、他端が縮径されると共に嵌合部内径に回動不能に接続されるようになされて挿入部となされ、嵌合部又は挿入部の内面に発泡体が挿入されたことを特徴とするフィルム巻き上げパイプ。
【発明の詳細な説明】
【０００１】
【発明の属する技術分野】
本発明は、農園芸用のビニールハウスの換気のために主として用いられるビニールハウスフィルム巻き上げパイプに関する。
【０００２】
【従来の技術】
【特許文献１】実公平４−７７２５号公報
一般には、ビニールハウス内の気温が上昇しすぎたとき、ビニールハウスを構成するフィルムの一部を巻き上げて、側壁を開口させ、外気をビニールハウス内に導入し、ハウス内の温度コントロールをする方法が知られている。本発明はこのフィルムの巻き上げに使用するパイプに関するもので、本出願人は、実公平４−７７２５号公報において、複数本のパイプ本体が連結されてなり、パイプ本体は金属パイプの外周面に合成樹脂層が被覆された断面ほぼ円形となされ、パイプ本体の一端部が漸次断面ほぼ楕円形に変形され、連結される一方のパイプ本体の一端部に他方のパイプ本体の他端部が直接嵌入されて固定されたビニールハウス換気用フィルム巻き上げパイプを提案している。
【０００３】
【発明が解決しようとする課題】
しかしながら上記の如き実公平４−７７２５に提案されたパイプにおいては、パイプ本体の連結作業が簡単にでき作業性がよく、しかもパイプ同士の連結が確実にできるものの、図４に示すように雨水（図中矢印の方向に侵入する）がフィルムを伝ってパイプ内部に浸入し、パイプが常時フィルムに巻かれた状態であるので、この浸入した雨水ａが厳冬期になると、図５に示すように凍結、膨張し接続部を押し拡げてパイプの緩みや外れが発生するという問題があった。接続部に緩み、外れが発生するとパイプを回転させたとき、回転偶力が接続の緩んだ箇所から先へは伝達されずパイプに無理な力がかかりパイプに曲がり、折れが発生するという問題があった。又、パイプ内の水の凍結膨張によるパイプが破断するという問題があった。
【０００４】
そこで本発明者は従来の欠点に鑑み鋭意研究の結果、パイプ内に浸入した水の凍結による上記の問題を解決したビニールハウスフィルム巻き上げパイプを提供する。
【０００５】
【課題を解決するための手段】
本発明フィルム巻き上げパイプは、農園芸用のビニールハウスの側面に設けられ、ビニールハウスのフィルム端部を巻回し、フィルムを巻き上げるためのパイプであって、複数本のパイプ本体が接続されてなり、パイプ本体は断面円形の金属パイプの一端が変形されて嵌合部となされ、他端が縮径されると共に嵌合部内径に回動不能に接続されるようになされて挿入部となされ、嵌合部又は挿入部の内面に発泡体が挿入されたもので、パイプ本体内に浸入した水が凍結、膨張しても発泡体が膨張を吸収するので、パイプ本体の接続された部分が押し広げられることが無く接続部の緩みや外れが防止される。
【０００６】
【発明の実施の形態】
以下、図面を参照しながら本発明に付いて説明する。
図１は本発明フィルム巻き上げパイプの実施形態の一例を示す斜視図である。図に於いて１はパイプ本体であり、ビニールハウスの側面に設けられている。パイプ本体１は全長に亘ってフィルム２が巻き付けられている。パイプ本体１の端部にはハンドル３が設けられ、このハンドル３を回すことによりフィルム２が巻き上げられ、ビニールハウスの側面が開口される。
【０００７】
パイプ本体１の一端は楕円形に成形されて嵌合部１１となされており、他端はスエージ加工により縮径され楕円形に成形されて挿入部１２となされている。挿入部１２の外径は嵌合部１１の内径より稍小寸法となされ、パイプ本体１の挿入部１２が別のパイプ本体１の嵌合部１１内に挿入されてパイプ本体１が接続される。嵌合部１１と、挿入部１２の内部には発泡スチロールからなる発泡体４が挿入されている。
【０００８】
パイプ本体１の両端には発泡体４が挿入されているので、パイプ本体１内に浸入した水が凍結したときも図３に示すように発泡体４の縮みによって、凍結による圧力が吸収できるので、パイプの緩みや外れが発生しない。
【０００９】
パイプ本体１は断面円形の鋼管の両端が前記したよに変形加工されて作製されており、通常は表面に亜鉛鍍金が施されている。又、好適にはパイプ本体１の表面にはポリエチレンやポリプロピレンなどの合成樹脂が被覆される。
【００１０】
パイプ本体１の両端に挿入される発泡体４は発泡スチロール、発泡ポリウレタン、発泡ポリエチレンなどの合成樹脂発泡体が用いられるが、独立気泡構造である点や吸水性が無い点から発泡スチロールが好適に用いられる。
【００１１】
発泡体４の内接円径はパイプ本体１の内径より稍大きくなされれば発泡体４が端部に固定され、パイプ本体１の中央部に入り込んだりすることが無く好適である。又、発泡体４の長さは、水が凍結するときの膨張率からパイプ本体１の長さの４％以上とすることが望ましい。
【００１２】
発泡体４はパイプ本体１の両端部だけでなく中間部にも挿入されればパイプ内に浸入した水の凍結によるパイプの破裂も防止することができ好ましい。又、パイプ本体１を接続した部分は粘着テーブで固定されればパイプ本体１同士がずれにくく更に好適である。
【００１３】
【発明の効果】
上述の如く、本発明フィルム巻き上げパイプは、農園芸用のビニールハウスの側面に設けられ、ビニールハウスのフィルム端部を巻回し、フィルムを巻き上げるためのパイプであって、複数本のパイプ本体が接続されてなり、パイプ本体は断面円形の金属パイプの一端が変形されて嵌合部となされ、他端が縮径されると共に嵌合部内径に回動不能に接続されるようになされて挿入部となされ、嵌合部又は挿入部の内面に発泡体が挿入されたもので、パイプ本体内に浸入した水が凍結、膨張しても発泡体が膨張を吸収するので、パイプ本体の接続された部分が押し広げられることが無く接続部の緩みや外れが防止される。
【図面の簡単な説明】
【図１】本発明フィルム巻き上げパイプの実施形態の一例を示すビニールハウスの斜視図である。
【図２】本発明フィルム巻き上げパイプの実施形態の一例を示す斜視図である。
【図３】本発明フィルム巻き上げパイプの実施形態の一例を示す断面図である。
【図４】パイプへの雨水の浸入を図示する断面図である。
【図５】従来のフィルム巻き上げパイプの一例を示す断面図である。
【符号の説明】
１    パイプ本体
１１  嵌合部
１２  挿入部
２    フィルム
３    ハンドル
４    発泡体
ａ    雨水
【図１】
2005000021.tif 000003
【図２】
2005000021.tif 000004
【図３】
2005000021.tif 000005
【図４】
2005000021.tif 000006
【図５】
2005000021.tif 000007